【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】
遊技盤の略中央にて図柄を可変表示する図柄表示手段と、開閉板により開口部を開放すると遊技球が入球可能になる入球装置とを備え、
該図柄表示手段の停止図柄が大当り用図柄となったとき大当りとなり、
大当り期間中は、前記入球装置の開閉板を開いて前記開口部を開放し該開放された開口部に所定入球数の遊技球が入球するか開放時間が所定時間になると前記開口部を閉鎖する動作を、所定回数繰り返す弾球遊技機において、
前記開閉板の開閉軸と平行に配されるシャフトによって回動自在に軸支されたローラーを、前記開閉板の先端或いは該開閉板の先端に対向する前記開口部の先端部に取り付けたことを特徴とする弾球遊技機。
【請求項２】
遊技盤の略中央にて図柄を可変表示する図柄表示手段と、開閉板により開口部を開放すると遊技球が入球可能になる入球装置とを備え、
該図柄表示手段の停止図柄が大当り用図柄となったとき大当りとなり、
大当り期間中は、前記入球装置の開閉板を開いて前記開口部を開放し該開放された開口部に所定入球数の遊技球が入球するか開放時間が所定時間になると前記開口部を閉鎖する動作を、所定回数繰り返す弾球遊技機において、
前記開口部の内部には、
前記開口部に入球した遊技球を誘導するための誘導樋と、
前記誘導樋を通過してきた遊技球を排出するために該誘導樋の端部に隣接して設けられた排出誘導孔と、
前記排出誘導孔を開放して前記誘導樋を通過してきた遊技球を該排出誘導孔に落下させる開放位置と、前記排出誘導孔を閉鎖して前記遊技球を該排出誘導孔に落下させずに自身の上を通過させる閉鎖位置とに可変であり、前記開閉板と連動して、前記開閉板が前記開口部を閉鎖している状態では前記開放位置になり、前記開閉板が前記開口部を開放している状態では前記閉鎖位置になる排出防止板と、
前記排出誘導孔を閉鎖している前記排出防止板上を通過してきた遊技球の個数をカウントするためのカウントスイッチと
を設けたことを特徴とする弾球遊技機。
【請求項３】
請求項２記載の弾球遊技機において、
前記排出防止板は前記開閉板と一体形成されている
ことを特徴とする弾球遊技機。
【請求項４】
請求項２又は３記載の弾球遊技機において、
前記開閉板の開閉軸と平行に配されるシャフトによって回動自在に軸支されたローラーを、前記開閉板の先端或いは該開閉板の先端に対向する前記開口部の先端部に取り付けたことを特徴とする弾球遊技機。
【手続補正２】
【補正対象書類名】明細書
【補正対象項目名】０００８
【補正方法】変更
【補正の内容】
【０００８】
【課題を解決するための手段及び発明の効果】
上記目的達成のため、請求項１記載の弾球遊技機は、遊技盤の略中央にて図柄を可変表示する図柄表示手段と、開閉板により開口部を開放すると入球可能になる入球装置とを備え、該図柄表示手段の停止図柄が大当り用図柄となったとき大当りとなり、大当り期間中は、前記入球装置の開閉板を開いて前記開口部を開放し該開放された開口部に所定入球数が入球するか開放時間が所定時間になると前記開口部を閉鎖する動作を、所定回数繰り返す弾球遊技機において、前記開閉板の開閉軸と平行に配されるシャフトによって回動自在に軸支されたローラーを、前記開閉板の先端或いは該開閉板の先端に対向する前記開口部の先端部に取り付けたので、
開閉板が閉まりかけたときに開閉板上に遊技球が落下してきて、開閉板と開口部との間に遊技球が挟まっても、開閉板の閉じようとする力により、開閉板の先端或いは開閉板の先端に対向する開口部の先端部に取り付けたローラーと遊技球とを回転させることにより、遊技球を回転させながら開口部の内部に取り込むことができる。
従って、遊技球が開閉板と開口部の間に挟まって開閉板が閉まらなくなるのを防止でき、例えば後から落下してきた遊技球が開閉板を押し退けて開口部に侵入し本来は開口部内に受け入れるべきでない遊技球を受け入れてしまったり、後から落下してきた遊技球が開閉板を押し退けないまま開閉板の上に積もり、その後の遊技が円滑に実施できなくなるといった問題も防止できる。
【手続補正３】
【補正対象書類名】明細書
【補正対象項目名】０００９
【補正方法】変更
【補正の内容】
【０００９】
請求項２記載の弾球遊技機は、
遊技盤の略中央にて図柄を可変表示する図柄表示手段と、開閉板により開口部を開放すると入球可能になる入球装置とを備え、
該図柄表示手段の停止図柄が大当り用図柄となったとき大当りとなり、
大当り期間中は、前記入球装置の開閉板を開いて前記開口部を開放し該開放された開口部に所定入球数が入球するか開放時間が所定時間になると前記開口部を閉鎖する動作を、所定回数繰り返す弾球遊技機において、
前記開口部の内部には、
前記開口部に入球した遊技球を誘導するための誘導樋と、
前記誘導樋の端部に設けられた、遊技球を排出するための排出誘導孔と、
前記排出誘導孔を開放して前記誘導樋を通過してきた遊技球を該排出誘導孔に落下させる開放位置と、前記排出誘導孔を閉鎖して前記遊技球を該排出誘導孔に落下させずに自身の上を通過させる閉鎖位置とに可変であり、前記開閉板と連動して、前記開閉板が前記開口部を閉鎖している状態では前記開放位置になり、前記開閉板が前記開口部を開放している状態では前記閉鎖位置になる排出防止板と、
前記排出誘導孔を閉鎖している前記排出防止板上を通過してきた遊技球の個数をカウントするためのカウントスイッチと
を設けたことを特徴とする。
この弾球遊技機においては、開口部に入球した遊技球は誘導樋によって誘導される。開閉板と連動する排出防止板は、開閉板が開口部を開放している状態では閉鎖位置になって排出誘導孔を閉鎖して誘導樋を通過してきた遊技球をカウントスイッチに向かわせる。その誘導樋を通過してきた遊技球の個数をカウントスイッチでカウントし、そのカウント数、すなわち開口部への入球数が所定入球数になると開口部を閉鎖する。
開閉板が開口部を閉鎖すると、排出防止板は開放位置になり、排出誘導孔を開放して誘導樋を通過してきた遊技球を排出誘導孔に落下させる。この落下した遊技球は、排出誘導孔から排出される。つまり、所定入球数になった以後に入球装置に入球した遊技球は排出されてしまうから、入球装置には常に所定入球数の遊技球が入球することになる。このため、一回の大当りで獲得できる賞品球の数が各遊技者で均一となるため遊技者の不公平感を生じることもなくなる。また、所定入球数を法規による規制枠いっぱいの１０個までと設定できるため機種によって所定入球数などを変更する必要性もなくなり部品の共通化などでコスト低減が計れることになる。
【手続補正４】
【補正対象書類名】明細書
【補正対象項目名】００１０
【補正方法】変更
【補正の内容】
【００１０】
請求項３記載の弾球遊技機は、請求項２記載の弾球遊技機において、前記排出防止板は前記開閉板と一体形成されているので、排出防止板は開閉板と確実に連動する。
請求項４記載の弾球遊技機は、請求項２又は３記載の弾球遊技機において、前記開閉板の開閉軸と平行に配されるシャフトによって回動自在に軸支されたローラーを、前記開閉板の先端或いは該開閉板の先端に対向する前記開口部の先端部に取り付けたので、開閉板が閉まりかけたときに開閉板上に遊技球が落下してきて、開閉板と開口部との間に遊技球が挟まっても、開閉板の閉じようとする力によりローラー及び遊技球を回転させることにより、遊技球を回転させながら開口部の内部に取り込むことができる。
従って、遊技球が開閉板と開口部の間に挟まって開閉板が閉まらなくなるのを防止でき、例えば後から落下してきた遊技球が開閉板を押し退けて開口部に侵入し本来は開口部内に受け入れるべきでない遊技球を受け入れてしまったり、後から落下してきた遊技球が開閉板を押し退けないまま開閉板の上に積もり、その後の遊技が円滑に実施できなくなるといった問題も防止できる。